(57)【要約】【課題】スライド式の開閉扉装置において、扉を小さな力で開けることができるようにする。【解決手段】スライド式の扉１，２の一端側近傍の取っ手高さ位置に開口部が形成されており、この開口部の内側における扉１，２の内部には開扉時における補助力付与機構１１が内蔵されてあり、この補助力付与機構１１はケーシング１２と、このケーシング１２の両側の板部１２ｂ，１２ｂ間に水平に掛け渡されたガイド棒１３と、このガイド棒１３に水平に移動自在に支持されたレバー１４と、ケーシング１２の中央の板部１２ａに軸１５により枢結され且つ下端がレバー１４に軸１６により枢結されたリンク部材１７と、このリンク部材１７の上端に一端が軸１８により枢結され他端が前記両側の板部１２ｂ，１２ｂの内、一方の板部１２ｂの孔部１２ｂ’から水平に突出する押し出し棒１９と、レバー１４を開き方向とは反対側に付勢する圧縮ばね２０とから構成した。【選択図】　　　　図３
2004084338.tif 000002
【特許請求の範囲】
【請求項１】
片引き扉、引き分け扉などのスライド式の開閉扉装置において、扉の一端側近傍の取っ手高さ位置に開口部が形成されており、この開口部の内側における扉の内部には開扉時における補助力付与機構が内蔵されてあり、この補助力付与機構は中央の板部と、この板部の両側に直角に同方向に折り曲げられて連設された板部とを備えてなるケーシングと、このケーシングの両側の板部間に水平に掛け渡された上下２本の互いに平行なガイド棒と、このガイド棒に沿って水平に移動自在に上下両端がガイド棒に支持されたレバーと、前記ケーシングの中央の板部に軸により枢結され且つ下端が前記レバーに軸により枢結されたリンク部材と、このリンク部材の上端に一端が軸により枢結され他端が前記両側の板部の内、一方の板部の孔部から水平に突出する押し出し棒と、前記レバーを開き方向とは反対側に付勢するばねとからなり、前記レバーをガイド棒に沿って扉開き方向に水平に移動させることにより押し出し棒を孔部から水平に押し出し、扉を開き方向に突っ張るように構成したことを特徴とする開閉扉装置。
【発明の詳細な説明】
【０００１】
【発明の属する技術分野】
本発明は、片引き扉、引き分け扉などのスライド式の扉の開動時に必要な手で与える力を少なくできるようにした開閉扉装置に関するものである。
【０００２】
【従来の技術】
従来から片引き扉、引き分け扉などのスライド式の扉が種々知られており、例えば引き分け扉において互いに連動しながらスライドして開閉する２枚の扉を備えた開閉扉装置にあっては、その開扉操作は一方の扉に対して開ける方向に手で力を与えることにより行なわれ、その操作により他方の扉が連動して両扉が開けられるようになっている。このような開閉扉装置において、一般的にはロックを解除することにより扉が自動的に閉じられるようにするために、扉閉塞装置が設けられており、扉を閉じる方向に対してはロックを解除するときのみ手で力を与えれば良いのであるが、扉を開ける場合は扉を完全に開けるまで扉に対して開ける方向に手で力を与えなければならず、特に扉を開け始めるときに最も大きな力を必要とし、力の弱い老人、女性にとっては扉を開ける作業が大変であった。
【０００３】
【発明が解決しようとする課題】
本発明はこのような課題を解決するもので、互いに連動しながらスライドして開閉する２枚の扉を備えた引き分け扉あるいは片引き扉において、扉を小さな力で開けることができるようにすることを目的とするものである。
【０００４】
【課題を解決するための手段】
この課題を解決するために本発明は、片引き扉、引き分け扉などのスライド式の開閉扉装置において、扉の一端側近傍の取っ手高さ位置に開口部が形成されており、この開口部の内側における扉の内部には開扉時における補助力付与機構が内蔵されてあり、この補助力付与機構は中央の板部と、この板部の両側に直角に同方向に折り曲げられて連設された板部とを備えてなるケーシングと、このケーシングの両側の板部間に水平に掛け渡された上下２本の互いに平行なガイド棒と、このガイド棒に沿って水平に移動自在に上下両端がガイド棒に支持されたレバーと、前記ケーシングの中央の板部に軸により枢結され且つ下端が前記レバーに軸により枢結されたリンク部材と、このリンク部材の上端に一端が軸により枢結され他端が前記両側の板部の内、一方の板部の孔部から水平に突出する押し出し棒と、前記レバーを開き方向とは反対側に付勢するばねとからなり、前記レバーをガイド棒に沿って扉開き方向に水平に移動させることにより押し出し棒を孔部から水平に押し出し、扉を開き方向に突っ張るように構成したことを要旨とするものである。
【０００５】
この構成により、互いに連動しながらスライドして開閉する２枚の扉を備えた引き分け扉あるいは片引き扉において、レバーの操作により押し出し棒を押し出して押し出し棒の他端を他方の扉もしくは縦枠に押し付けるように作用させることにより、扉を小さな力で開けることができる。
【０００６】
【発明の実施の形態】
以下、本発明の一実施の形態について、図面に基づいて説明する。
図１〜図７において、１および２は互いに連動しながらスライドして出入口３を開閉する２枚の扉、所謂引き分け扉で、この両扉１，２は出入口３の上枠に水平に設けたレール４に扉１，２の上端に取り付けたハンガー５に枢結したローラー６が受けられて、レール４に沿って移動できるようになっている。そして、２枚の扉１，２を互いに連動しながらスライドして開閉させるために、図面では示されていないが２枚の扉１，２をワイヤーなどの連結手段を介して繋いでいる。即ち、２枚の扉１，２の内、何れか一方の扉１または２を開く方向に手で力を与えることにより他方の扉２または１は開かれる方向に連動し、また開かれた２枚の扉１，２の内、何れか一方の扉１または２側に繋がれたドアー閉塞装置により何れか一方の扉１または２を閉じる方向に付勢することにより他方の扉２または１も連動して閉じる方向に付勢されるように構成されている。
【０００７】
このような開閉扉装置において、前記２枚の扉１，２の付き合わせ部は図１にも示すように一方の扉１の一端側の端面と他方の扉２の一端側の端面が互いに近接した状態で閉じた状態を保持するように構成されている。そして、２枚の扉１，２の一端側近傍には両扉１，２の内外の面における板体７，８、９，１０にそれぞれ矩形の開口部７ａ，８ａ、９ａ，１０ａが取っ手高さ位置に形成されており、この開口部７ａ，８ａ、９ａ，１０ａの内側における両扉１，２の内部には開扉時における補助力付与機構１１が内蔵されている。
【０００８】
前記補助力付与機構１１は中央の矩形の板部１２ａと、この板部１２ａの両側に直角に同方向に折り曲げられて連設された板部１２ｂ，１２ｂと、この板部１２ｂ，１２ｂに直角に外向きに折り曲げられて連設され前記板体７，８、９，１０の内面に取り付けられる板部１２ｃ，１２ｃとからなるケーシング１２と、このケーシング１２の両側の板部１２ｂ，１２ｂ間に水平に掛け渡された上下２本の互いに平行なガイド棒１３，１３と、このガイド棒１３，１３に沿って水平に移動自在に上下両端がガイド棒１３，１３に支持されたレバー１４と、前記ケーシング１２の中央の板部１２ａに上下方向中間部よりもやや上側位置で軸１５により枢結され且つ下端が前記レバー１４の指掛け面である一側部に近い下端近傍位置に軸１６により枢結されたリンク部材１７と、このリンク部材１７の上端に一端が軸１８により枢結され他端が前記両側の板部１２ｂ，１２ｂの内、一方の板部１２ｂの孔部１２ｂ’から突出する押し出し棒１９と、前記レバー１４をガイド棒１３，１３に沿って扉開き方向に移動させた後、レバー１４から手を離すことによりレバー１４を所定位置に復帰させるために前記両側の板部１２ｂ，１２ｂの内、他方の板部１２ｂとレバー１４との間に介在された圧縮ばね２０とを備えている。２１はガイド棒１３，１３に設けた止め輪で、レバー１４を所定位置で停止させるためのものである。ところで、前記リンク部材１７の下端および上端において前記レバー１４との連結および押し出し棒１９との連結のための軸１６および１８との結合用の孔部１７ａおよび１７ｂは長孔状となっている。また、前記レバー１４の背面は前記押し出し棒１９とリンク部材１７との枢結の邪魔にならないように他側部から一部が切り欠かれている。１４ａはその切り欠き部である。そして、この切り欠き部１４ａに連続するレバー１４の他の部分には押し出し棒１９が貫通するようにレバー１４の一側部に延びる丸孔１４ｂが形成されている。この丸孔１４ｂと前記一方の板部１２ｂの孔部１２ｂ’とは同高さ位置にあって、丸孔１４ｂから突出する押し出し棒１９の他端は前記一方の板部１２ｂの孔部１２ｂ’から水平に突出する。さらに、前記２枚の扉１，２が閉じている状態において下端が前記レバー１４の指掛け面である一側部に近い下端近傍位置に軸１６により枢結されているリンク部材１７は図３に示すように上端の軸１８による押し出し棒１９との枢結部が押し出し棒１９の押し出し方向とは反対側に傾いており、前記レバー１４を圧縮ばね２０に抗して移動させることによりリンク部材１７は軸１６との枢結部を中心に回動して押し出し棒１９を押し出すように動作する構成となっている。
【０００９】
かかる構成の補助力付与機構１１は２枚の扉１，２の一端側近傍において内外の両側の面に設けられているが、各面の２つの補助力付与機構１１の押し出し棒１９の他端同士が突き当たらないように２つの補助力付与機構１１は上下逆向きに取り付けられている。そして、補助力付与機構１１は前述のように前記開口部７ａ，８ａ、９ａ，１０ａの内側における両扉１，２の内部に設けられるのであるが、前記開口部７ａ，８ａ、９ａ，１０ａの外側に開口部７ａ，８ａ、９ａ，１０ａとほぼ同じ大きさの矩形の孔部２２ａが形成された化粧プレート２２が板体７，８、９，１０にビス止めされる。
【００１０】
上記構成において、２枚の扉１，２が閉じている状態では各補助力付与機構１１の押し出し棒１９の他端はそれが取り付けられている扉の端面から突出し、その扉に対して近接する他方の扉の端面に当接しており、かかる状態で２枚の扉１，２を開ける場合は、何れか一方の扉１または２の内または外から化粧プレート２２の孔部２２ａよりレバー１４に指を掛けてレバー１４を圧縮ばね２０に抗して移動させることによりリンク部材１７は軸１６との枢結部を中心に回動して押し出し棒１９が押し出され、その結果他方の扉２または１は押し出し棒１９の他端で開く方向に押され、両扉１，２間に突っ張り力が作用することにより両扉１，２間の間隔が開き、その勢いで扉開き操作を行なうと扉１，２を小さな力で開けることができ、扉開き操作が楽になる。なお、扉１，２を開き終わるまでは何れか一方の扉１または２のレバー１４に指を掛けて扉１，２を開くのであり、扉１，２を開き終った後、レバー１４から手を離すとレバー１４は圧縮ばね２０の付勢力により元の位置に戻る。
【００１１】
以上、２枚の扉１，２によって出入口３を開閉する引き分け扉に補助力付与機構１１を備えた実施の形態について説明したが、片引き扉においても補助力付与機構を設けることが可能である。その場合、補助力付与機構１１の前記押し出し棒１９の他端を出入口の縦枠に押し付けるように作用させることにより、扉開き時における必要な力を軽減させることができる。
【００１２】
【発明の効果】
以上のように本発明によれば、互いに連動しながらスライドして開閉する２枚の扉を備えた引き分け扉あるいは片引き扉において、レバーの操作により押し出し棒を押し出して押し出し棒の他端を他方の扉もしくは縦枠に押し付けるように作用させることにより、扉を小さな力で開けることができる。
【図面の簡単な説明】
【図１】本発明の一実施の形態における開閉扉装置の概略正面図である。
【図２】図１の要部拡大断面図である。
【図３】同補助力付与機構の正面図である。
【図４】同補助力付与機構の水平断面図である。
【図５】同補助力付与機構の動作状態における正面図である。
【図６】同補助力付与機構の動作状態における水平断面図である。
【図７】同開閉扉装置の動作状態における概略正面図である。
【符号の説明】
１，２　　　　　　　　　　　扉
３　　　　　　　　　　　　　出入口
４　　　　　　　　　　　　　レール
５　　　　　　　　　　　　　ハンガー
６　　　　　　　　　　　　　ローラー板体
７，８、９，１０　　　　　　板体
７ａ，８ａ、９ａ，１０ａ　　開口部
１１　　　　　　　　　　　　　補助力付与機構
１２　　　　　　　　　　　　　ケーシング
１２ａ，１２ｂ，１２ｃ　　　　板部
１２ｂ’　　　　　　　　　　　孔部
１３　　　　　　　　　　　　　ガイド棒
１４　　　　　　　　　　　　　レバー
１５　　　　　　　　　　　　　軸
１６　　　　　　　　　　　　　軸
１７　　　　　　　　　　　　　リンク部材
１８　　　　　　　　　　　　　軸
１９　　　　　　　　　　　　　押し出し棒
２０　　　　　　　　　　　　　圧縮ばね
２２　　　　　　　　　　　　　化粧プレート
２２ａ　　　　　　　　　　　　孔部
【図１】
2004084338.tif 000003
【図２】
2004084338.tif 000004
【図３】
2004084338.tif 000005
【図４】
2004084338.tif 000006
【図５】
2004084338.tif 000007
【図６】
2004084338.tif 000008
【図７】
2004084338.tif 000009